(57)【要約】【課題】無線通信端末装置間で、あらかじめ用意した情報から選択したテキストなどのデータを、簡易な操作で送受信することができるデータ送受信システムを提供することを目的とする。【解決手段】表示部１１、ダイヤルキー１２、ファンクションキー１３、カーソルキー１４、送受信キー１５、赤外線送受信部１６を備える無線通信端末において、表示部１１に送信すべきデータとしてテキストを表示する。送信するテキストを選択し、選択したテキストを内部の記憶手段に格納する。ここで送受信キー１５を押下すると、無線通信端末装置は外部機器に赤外線リンク信号を送信し、外部機器と赤外線通信が可能な状態となるように要求する。外部機器から応答があり赤外線リンク状態が確立されると、無線通信端末装置は記憶手段に格納したテキストを外部機器に送信し、データ送信処理を終了する。【選択図】図１
2006295786.tif 000002
【特許請求の範囲】
【請求項１】
データ記憶手段と、データ選択手段と、選択したデータが格納される選択データ記憶手段と、外部機器との通信手段と、外部機器との通信路確立処理と前記選択データ記憶手段に格納したデータの送信処理を一括して行う通信処理手段と、前記通信路確立と前記送信処理を一括して開始する開始手段とを備えたことを特徴とする無線通信端末装置。
【請求項２】
データ記憶手段と、データ選択手段と、選択したデータが格納される選択データ記憶手段と、外部機器との通信手段と、外部機器との通信路確立処理と前記選択データ記憶手段に格納したデータの送信処理を一括して行う通信処理手段と、前記通信路確立と前記送信処理を一括して開始する開始手段とを備えた第１の無線通信端末装置と、前記第１の無線通信端末装置と通信路を確立してデータ受信を行う第２の無線通信端末装置とを備えたことを特徴とするデータ送受信システム。
【請求項３】
前記第１の無線通信端末装置はあらかじめ定めたデータフォーマットに基づくテキストデータを備え、前記第２の無線通信端末装置はあらかじめ定めたデータフォーマットに基づきデータ処理を行うデータ処理手段を備えたことを特徴とする請求項２に記載のデータ送受信システム。
【請求項４】
前記第２の無線通信端末装置は前記第１の無線通信端末装置から受信したデータを表示する表示手段を備えたことを特徴とする請求項２に記載のデータ送受信システム。
【請求項５】
前記第２の無線通信端末装置は衣服への装着手段を備えたことを特徴とする請求項４に記載のデータ送受信システム。
【請求項６】
前記第２の無線通信端末装置は人体頸部からの吊下げ手段を備えたことを特徴とする請求項４に記載のデータ送受信システム。
【請求項７】
データ選択を行うステップと、選択したデータをメモリに格納するステップと、外部機器との通信路の確立処理を行うステップと、前記通信路確立処理ステップと前記メモリに格納したデータの送信処理を一括して行う通信処理ステップと、前記通信処理ステップを開始する開始ステップとを備えたことを特徴とするデータ送信方法。
【発明の詳細な説明】
【技術分野】
【０００１】
本発明は、無線通信端末装置間で選択したテキストなどのデータの送受信を行うデータ送受信システムに関するものである。
【背景技術】
【０００２】
従来、聴覚障害者と健常者とのコミュニケーション方法として、筆記具と紙、あるいは手書きボード等を使った筆談が一般的であったが、近年、携帯電話等の無線通信端末装置の普及に伴い、携帯電話で文章を作成して表示部を相手に見せることでコミュニケーションを図る方法が広まっている。例えば、タクシーに乗って行き先を告げる場合、携帯電話で行き先の名前（テキスト）を作成して、運転手に見せる方法等に利用されている。携帯電話のような携帯型の端末装置は携帯性が重視されることから、表示部や入力操作部を最小限にとどめることで小型化が図られている。このように表示部や入力操作部が最小限であることから、文字が小さく読みにくく情報が正確に伝わらない、あるいは情報の入力に手間取るといったケースがあった。
【０００３】
これに対し従来の技術では、表示部を備えた無線端末に対し、キーボード等の外部入力装置に入力された情報を非接触で無線端末に送るようにした無線端末システムが知られている（例えば、特許文献１参照）。この従来技術を用いて、視認性の良い大きさの表示部を備えた無線端末装置を設置し、この無線端末装置に入力操作性の良いキーボード等の外部入力装置で伝達したい情報を入力することで上述の視認性と操作性を改善することが可能である。
【特許文献１】特開平９−２５９０６０号公報（図１）
【発明の開示】
【発明が解決しようとする課題】
【０００４】
しかしながら、従来の技術では、あらかじめ伝達したい情報が決まっているような場合、例えば、タクシーの行き先、購入する切符の区間等においても、伝達したい情報を一からすべて入力する操作が必要となる。そのために時間と手間がかかり、円滑なコミュニケーションを図る上で課題であった。また、キーボード等の外部入力装置を別途用意して持ち歩く必要があるので、持ち運びにも不便であるという課題を有していた。
【０００５】
本発明は、このような従来の問題点を解決するものであり、無線通信端末装置間で、あらかじめ用意した情報から選択したテキストなどのデータを、簡易な操作で送受信することができるデータ送受信システムを提供することを目的とする。
【課題を解決するための手段】
【０００６】
前記従来の課題を解決するために、本発明のデータ送受信システムは、外部機器との通信路の確立とデータ送信を行う通信処理手段を有し、開始手段により通信路の確立とデータ送信処理を開始する。本構成によって、無線通信端末装置間でテキストなどのデータの送受信を一括して行う。
【０００７】
また、本発明のデータ送受信システムは、第１の無線通信端末装置と第２の無線通信端末装置があらかじめ定めたデータフォーマットを有し、第１の無線通信端末装置から送信されたデータにより第２の無線通信端末装置がデータ処理を行うようにしたものである。
【０００８】
また、本発明のデータ送受信システムは、第２の無線通信端末装置が受信したデータを表示する表示手段を有し、第１の無線通信端末装置から送信されたデータの表示を行うようにしたものである。
【０００９】
また、本発明のデータ送受信システムは、第２の無線通信端末装置が受信したデータを表示する表示手段と、衣服への装着手段あるいは人体頚部からの吊下げ手段とを有し、人体に装着した状態で第１の無線通信端末装置から送信されたデータの表示を行うようにしたものである。
【発明の効果】
【００１０】
本発明によれば、無線通信端末装置間であらかじめ用意した情報から選択したテキストなどのデータを簡易な操作で送受信することができる。
【発明を実施するための最良の形態】
【００１１】
以下に、本発明の実施の形態について図面を参照して詳細に説明する。
【００１２】
（実施の形態１）
図１から図７は本発明の実施の形態１に係るデータ送受信システムを説明する図である。図１は、実施の形態１におけるデータ送受信システムの全体構成を示す外観図である。図１において、データ送受信システムは無線通信端末装置１０とノート型パーソナルコンピュータ（以下、ノートＰＣという）３０とから構成されている。無線通信端末装置１０は、表示部１１と、ダイヤルキー１２、ファンクションキー１３、カーソルキー１４及び送受信キー１５、ノートＰＣ３０と赤外線通信によりデータを送受信する赤外線送受信部１６、赤外線通信中にデータの送受信状態示す送受信ランプ１７とを備えている。ノートＰＣ３０は、表示部３１と、入力部３２と、無線通信端末装置１０と赤外線通信によりデータを送受信する赤外線送受信部３３とを備える。赤外線送受信部３３の実現手段としては、内蔵タイプ、ＵＳＢタイプ或いはＰＣＭＣＩＡカードタイプのいずれでも良い。また、無線通信端末装置１０は、無線通信により外部の無線基地局及び通信回線（図示せず）とデータを送受信するアンテナ１８を備える。
【００１３】
図２は、無線通信端末装置１０の主要な内部構成を示すブロック図である。図２に示すように、無線通信端末装置１０は、赤外線送受信部１６、アンテナ１８、表示制御部１９、操作部２０、制御部２１、記憶部２２、無線送受信部２３及びデータバス２４を具備している。表示制御部１９は、操作部２０に入力された情報、記憶部２２に格納された情報、赤外線送受信部１６や無線送受信部２３で送受信されるデータ等の表示部１１への表示の制御と、赤外線通信中にデータの送受信状態示す送受信ランプ１７の制御を行う。赤外線送受信部１６は、他の赤外線送受信機能を持つ外部機器とデータの送受信を行う。操作部２０は、使用者が各種のキー操作を行うためのキーを備えており、図１に示すように、テンキー１２、ファンクションキー１３、カーソルキー１４及び送受信キー１５を含んでいる。制御部２１は、操作部２０からの操作信号により各部の制御を行うともに、通信制御やデータ処理を行う。記憶部２２は、制御部２１を動作させるためのプログラムを格納すると共に、操作部２０から入力されたデータや外部から受信したデータを格納する。無線送受信部２３は、アンテナ１８を介して外部の無線通信回線（図示せず）とデータの送受信を行う。データバス２４は、赤外線送受信部１６、表示制御部１９、操作部２０、制御部２１、記憶部２２及び無線送受信部２３をそれぞれ接続する共通の信号路である。なお、送受信キー１５を２回押下すると、表示部１１に表示されたテキストを赤外線送信するように構成している。
【００１４】
図３は、ノートＰＣ３０の主要な内部構成を示すブロック図である。図３に示すように、ノートＰＣ３０は、表示部３１、操作部３２、赤外線送受信部３３、ＣＰＵ（Ｃｅｎｔｒａｌ  Ｐｒｏｃｅｓｓｉｎｇ  Ｕｎｉｔ）３４、ＨＤＤ（Ｈａｒｄ  Ｄｉｓｋ  Ｄｒｉｖｅ）３５、ＲＡＭ（Ｒａｎｄｏｍ  Ａｃｃｅｓｓ  Ｍｅｍｏｒｙ）３６及びデータバス３７を具備している。操作部３１は、使用者が各種のキー操作を行うためのキー入力を行う。表示部３２は、操作部３１に入力された情報、ＨＤＤ３５及びＲＡＭ３６に格納された情報、赤外線送受信部３３で送受信されるデータ等の表示を行う。ＣＰＵ３４は、各種プログラムの実行を行うともに、操作部３２からの操作信号による各部の制御、通信制御やデータ処理を行う。ＨＤＤ３５は、ＣＰＵ３４を動作させるためのプログラムを格納すると共に、操作部３２から入力されたデータや外部から受信したデータを格納する。ＲＡＭ３６は、ＣＰＵ３４が実行するプログラムを一時的に格納するとともに、ＣＰＵ３４が各種処理を実行する際に処理されるデータを格納する。赤外線送受信部３３は、他の赤外線送受信機能を持つ外部機器とデータの送受信を行う。データバス３７は表示部３１、操作部３２、ＣＰＵ３４、ＨＤＤ３５、ＲＡＭ３６、赤外線送受信部３３をそれぞれ接続する共通の信号路である。
【００１５】
次に、本発明の実施の形態１に係るデータ送受信システムの動作を、図４、図５（ａ）、図５（ｂ）、図６、図７を参照して説明する。図４は前記無線通信端末装置１０で実行されるデータ送信処理を表すフローチャート、図５（ａ）は表示部１１に表示されたテキストを示す図、図５（ｂ）は表示部１１に表示されたテキストの一部を選択した状態を示す図、図６は無線通信端末装置１０と外部機器の送受信状態を表す送受信ランプ１７を示す図である。図６で、送受信ランプ１７は、送信ＬＥＤ２５と受信ＬＥＤ２６を横に並べた形にしている。図７はノートＰＣ３０の表示部３１を示す図である。
【００１６】
まず、無線通信端末装置１０内の制御部２１により実行されるテキスト送信処理について図４に示すフローチャートに基づいて説明する。無線通信端末装置１０において、図５（ａ）に示すように表示部１１に送信すべきデータとしてテキストを表示する（ステップＳ１）。テキストを表示した状態で送受信キー１５が２回続けて押下されたかどうかを判定する（ステップＳ２）。送受信キー１５を２回続けて押下せずに、図５（ｂ）に白黒反転して示すように送信するテキストを選択した場合（ステップＳ３）、選択したテキストを記憶部２２に格納する（ステップ４）。ここで送受信キー１５を押下すると（ステップＳ５）、無線通信端末装置１０は外部機器（ノートＰＣ３０）に赤外線リンク信号を送信し、ノートＰＣ３０と赤外線通信が可能な状態となるように要求する（ステップＳ６）。ノートＰＣ３０から応答があり赤外線リンク状態となったかどうかを判定する（ステップＳ７）。赤外線リンク状態が確立された場合、無線通信端末装置１０は記憶部２２に格納したテキストをノートＰＣ３０に送信し（ステップ８）、データ送信処理を終了する。図６に示すように、ステップ８において送受信ランプ１７は、送信ＬＥＤ２５が送信状態を表し、受信ＬＥＤ２６が受信状態を表す。一方ステップＳ７において、赤外線リンク状態が確立されなかった場合はテキストの送信を中止する。またステップＳ２において、送受信キー１５が２回続けて押下された場合は、ステップＳ６に移行して表示部１１に表示されたテキストをすべて送信する。
【００１７】
この時、ノートＰＣ３０がテキストを受信すると、赤外線送受信部３３の受信ランプ（図示せず）が受信状態を表示する。図７にノートＰＣ３０の表示部３１を示す。図７において、４０はアクティブなアプリケーション、４１は赤外線リンク状態を示す表示、４２はカーソルである。図７は表示部３１のアクティブなアプリケーション４０の位置にテキストが挿入された後の状態を示す。
【００１８】
次いで、ノートＰＣ３０から無線通信端末装置１０へテキストを送信する場合は、無線通信端末装置１０で行ったテキスト送信処理と同様の処理をノートＰＣ３０のＣＰＵ３４で行うことで実施することができる。
【００１９】
本発明の実施の形態１によれば、送受信キー１５を設け、テキストを選択した状態で送受信キー１５を押下することにより、外部機器との赤外線リンクの確立から選択したテキストの送信までを一括して処理することにより、簡易な操作で伝達したい任意の情報を送信することができる。
【００２０】
なお、本発明の実施の形態１において、送受信キー１５を専用ハードキーで実現する構成としたが、表示部１１にプログラム処理により表示したソフトキーで実現する構成、あるいはテンキー１２、ファンクションキー１３、カーソルキー１４など他のハードキーと共用させる構成としても良い。
【００２１】
また、本発明の実施の形態１において、無線通信端末装置１０でテキストを作成した後、送受信キー１５を１回押下するとコピーモードとなりテキストの部分選択が可能となるように処理し、テキストの部分選択を完了して再び送受信キー１５を１回押下すると、外部機器との赤外線リンクを確立して選択したテキストを外部機器に送信するようにしても良い。
【００２２】
（実施の形態２）
次に、本発明の実施の形態２について、図面を参照して説明する。実施の形態２では、本発明の実施の形態１の処理に加えて、送信側機器である無線通信端末装置１０に特定のフォーマット形式のテキストを用意し、受信側機器で特定のフォーマット形式のテキストをデータ処理する機能を備えたものである。
【００２３】
図８は、無線通信端末装置１０から送信するテキストデータのフォーマット例であり、１行目に項目、二行目以降に数値等の内容が記載されている。図８に示すように、（ａ）乗車券のフォーマット、（ｂ）会計のフォーマット、（ｃ）食事のフォーマット、（ｄ）スポーツのフォーマットなどで送信するテキストデータを作成し、無線通信端末１０で変更箇所を修正し、部分選択した後に送受信キー１５で送信すると、受信側機器が受信したテキストデータの種類を認識してデータ処理を行う。
【００２４】
例として列車の利用方法を説明する。インターネットで列車の乗車券発売会社などのホームページから、乗りたい列車の予約データをダウンロードし、そのデータを選択して無線通信端末装置１０に格納しておく。フォーマット形式としては列車の区別として頭の文字を「新幹線」とすることで、列車の種類は新幹線であることを区別することができる。スペース或いはカンマを区切りとして、次は年月日、時間、便号、人数、禁煙席、予約番号を設定する。列車の乗車券販売窓口で予約データのテキストを送受信キー１５で送信し、受付側のパソコンにデータが入力され、列車の発券処理が行われる。
【００２５】
本実施の形態によれば、本発明の実施の形態１の効果に加えて、送信側機器と受信側機器で特定のフォーマットを決定し、受信機器側でテキストデータの種類を認識してデータ処理を行うことができる。
【００２６】
（実施の形態３）
次に、本発明の実施の形態３について、図面を参照して説明する。実施の形態３では、本発明の実施の形態１に対して、受信側機器として表示機器５０を用いている。
【００２７】
図９は、本発明の実施の形態３におけるデータ送受信システムの全体構成を示す外観図である。図９において、データ送受信システムは無線通信端末装置１０と表示機器５０とから構成されている。図９に示すように、無線通信端末１０の構成は実施の形態１と同じである。表示機器５０は、赤外線送受信部５１と、ファンクションキー５２、表示部５３とを備えている。赤外線送受信部５１は、無線通信端末１０とのテキストの送受信を行う。ファンクションキー５２は、テキストを表示、消去、記憶の操作を行うためのキーである。
【００２８】
図１０は、表示機器５０の主要な内部構成を示すブロック図である。図１０に示すように、表示機器５０は、赤外線送受信部５１、操作部５４、表示制御部５５、制御部５６、記憶部５７及びデータバス５８を具備している。赤外線送受信部５１は、他の赤外線送受信機能を持つ外部機器とデータの送受信を行う。操作部５４は、使用者が各種のキー操作を行うためのキーを備えており、図９に示すファンクションキー５２を含んでいる。表示制御部５５は、ファンクションキー５２に入力された情報、記憶部５７に格納された情報、赤外線送受信部５１で送受信されるデータ等の表示部５３への表示の制御を行う。制御部５６は、操作部５４からの操作信号により各部の制御を行うともに、通信制御やデータ処理を行う。記憶部５７は、制御部５６を動作させるためのプログラムを格納すると共に、操作部５４から入力されたデータや外部から受信したデータを格納する。データバス５８は、赤外線送受信部５１、操作部５４、表示制御部５５、制御部５６及び記憶部５７をそれぞれ接続する共通の信号路である。
【００２９】
表示機器５０の例として、聴覚障害者が健常者とのコミュニケーションをスムーズに行うために使用される表示機器がある。無線通信端末１０でテキストを選択して送受信キー１５を押すと、テキストデータが表示機器５０に送信される。表示機器５０がテキストデータを受信すると、表示機器５０は見やすい大きさにテキストサイズを変更して表示する。更に無線通信端末１０が新たにテキストを送信した場合、表示機器５０は表示されていたテキストを消去して、新しいテキストを表示する。また表示機器５０は記憶機能を備え、ファンクションキー５２を用いて、過去に表示させたテキストをさかのぼって表示する機能を有する。
【００３０】
本発明の実施の形態３によれば、本発明の実施の形態１の効果に加えて、表示機器５０を備えてテキストを表示する構成としたので、簡易な操作で伝達したい任意の情報を見やすく表示することができる。
【００３１】
（実施の形態４）
次に、本発明の実施の形態４について、図面を参照して説明する。実施の形態４では、本発明の実施の形態１に対して、受信側機器として名札６０を備えたものである。
【００３２】
図１１は、本発明の実施の形態４におけるデータ送受信システムの全体構成を示す外観図である。図１１において、データ送受信システムは無線通信端末装置１０と名札６０とから構成されている。図１１に示すように、無線通信端末１０の構成は実施の形態１と同じである。名札６０は、赤外線受信部６１を備えており、無線通信端末１０からテキストの受信を行う。受信したテキストは表示部６３に表示する。ファンクションキー６２はテキストの消去を行うためのキーである。装着部６４は衣服へ名札６０を装着するための装着手段である。無線通信端末１０で名札に表示させたい人の氏名などをテキストで作成し名札６０へ送信する。名札６０はテキストの文字数に合わせて中央に表示されるように自動に調整して表示される。装着部６４により衣服に名札６０を装着して名札として使用する。なお、名札６０の内部構成は基本的に実施の形態３で説明した表示機器５０と同じであるので説明を省略する。また、装着部６４には、バンド６５を通して人体頸部から吊り下げるようにもしている。
【００３３】
本発明の実施の形態４によれば、本発明の実施の形態１の効果に加えて、液晶タイプ名札６０を備えてテキストを表示する構成としたので、展示会や講演会で使用される名札を繰り返して使用できる。
【産業上の利用可能性】
【００３４】
本発明に係るデータ送受信システムは、無線通信端末装置間であらかじめ用意した情報から選択したテキストなどのデータを簡易な操作で送受信することが可能になるので、聴覚障害者と健常者とのコミュニケーションを補助する無線通信端末装置等として有用である。
【図面の簡単な説明】
【００３５】
【図１】本発明の実施の形態１におけるデータ送受信システムの全体構成を示す外観図
【図２】本発明の実施の形態１における無線通信端末装置の主要な内部構成を示すブロック図
【図３】本発明の実施の形態１におけるノートＰＣの主要な内部構成を示すブロック図
【図４】本発明の実施の形態１における無線通信端末装置のデータ通信処理を表すフローチャート
【図５】（ａ）本発明の実施の形態１における無線通信端末装置の表示部に表示されたテキストを示す図（ｂ）本発明の実施の形態１における無線通信端末装置の表示部に表示されたテキストの一部を選択した状態を示す図
【図６】本発明の実施の形態１における無線通信端末装置の送受信ランプを示す図
【図７】本発明の実施の形態１におけるノートＰＣの表示部を示す図
【図８】本発明の実施の形態１における無線通信端末装置から送信するテキストデータのフォーマットを示す図
【図９】本発明の実施の形態３におけるデータ送受信システムの全体構成を示す外観図
【図１０】本発明の実施の形態３における表示機器の主要な内部構成を示すブロック図
【図１１】本発明の実施の形態４におけるデータ送受信システムの全体構成を示す外観図
【符号の説明】
【００３６】
１０    無線通信端末装置
１１、３１、５３、６３    表示部
１２    ダイヤルキー
１３、５２、６２    ファンクションキー
１４    カーソルキー
１５    送受信キー
１６、３３、５１    赤外線送受信部
１７    送受信ランプ
１８    アンテナ
１９、５５    表示制御部
２０、５４    操作部
２１、５６    制御部
２２、５７    記憶部
２３    無線送受信部
２４、３７、５８    データバス
３０    ノートＰＣ
３２    入力部
３４    ＣＰＵ
３５    ＨＤＤ
３６    ＲＡＭ
５０    表示機器
６４    装着部
６５    バンド
【図１】
2006295786.tif 000003
【図２】
2006295786.tif 000004
【図３】
2006295786.tif 000005
【図４】
2006295786.tif 000006
【図５】
2006295786.tif 000007
【図６】
2006295786.tif 000008
【図７】
2006295786.tif 000009
【図８】
2006295786.tif 000010
【図９】
2006295786.tif 000011
【図１０】
2006295786.tif 000012
【図１１】
2006295786.tif 000013